(57)【要約】【課題】記憶手段の蓄積容量が予め定められた量に達することによる動作の停止を回避することができる原稿読取装置及び画像形成装置を提供する。【解決手段】画像形成装置１０は、原稿を読み取って画像データを生成する原稿読取部３６０と、原稿読取部３６０で生成された画像データを記憶するＲＡＭ１１０と、ＲＡＭ１１０に記憶された画像データから画像を形成するプリンタ装置２００と、を有し、原稿読取部３６０は、ＲＡＭ１１０の蓄積容量が予め定められた量に達した場合に、画像の読み取りを停止する。【選択図】図５
2010074486.tif 000002
【特許請求の範囲】
【請求項１】
原稿を読み取って画像データを生成する画像データ生成手段と、
前記画像データ生成手段で生成された画像データを記憶する記憶手段と、
を有し、
前記画像データ生成手段は、前記記憶手段の蓄積容量が予め定められた量に達した場合に、原稿の読み取りを停止する原稿読取装置。
【請求項２】
前記画像データ生成手段は、原稿の読み取りを停止した後、前記記憶手段の蓄積容量が予め定められた量を下回った場合に、原稿の読み取りを再開する請求項１記載の原稿読取装置。
【請求項３】
原稿を読み取って画像データを生成する画像データ生成手段と、
前記画像データ生成手段で生成された画像データを記憶する記憶手段と、
前記記憶手段に記憶された画像データを処理する画像処理手段と、
を有し、
前記画像データ生成手段は、前記記憶手段の蓄積容量が予め定められた量に達した場合に、原稿の読み取りを停止する画像形成装置。
【請求項４】
前記画像データ生成手段は、原稿の読み取りを停止した後、前記画像処理手段で画像データの処理がなされることによって、前記記憶手段の蓄積容量が予め定められた量を下回った場合に、原稿の読み取りを再開する請求項３記載の画像形成装置。
【発明の詳細な説明】
【技術分野】
【０００１】
本発明は、原稿読取装置及び画像形成装置に関する。
【背景技術】
【０００２】
特許文献１には、原稿を光学的に走査して画像情報を読み取る光学式読取手段と、前記光学式読取手段による原稿の読み取り速度を検出する読取速度検出手段と、読み取った画像を記録する用紙のサイズ情報を取得する用紙サイズ情報取得手段と、前記光学式読取手段で読み取った画像情報を前記用紙に形成する画像形成手段と、前記読取速度検出手段で検出した読み取り速度に基づいて１枚の原稿の読み取りに必要な原稿読取時間を算出すると共に、前記用紙サイズ情報取得手段で取得した用紙サイズ情報に基づいて１枚の用紙に画像を形成する画像形成時間を算出する時間算出手段と、前記時間算出手段により算出した原稿読取時間と画像形成時間とを比較して、原稿読取時間が画像形成時間よりも大きい場合は前記画像形成手段の画像形成動作を原稿読取時間に合わせるように一時的に停止させ、それ以外の場合は画像形成動作を継続的に行うように制御する制御手段とを備えた画像形成装置が開示されている。
【０００３】
特許文献２には、画像データを入力し出力すると共にリソースを利用するジョブの実行により該画像データを処理する情報処理装置において、該ジョブを分割した各分割部分に対 して逐次リソースの獲得と開放を行うことで該ジョブを実行するリソース分割割当ユニットと、該ジョブに対して一度のリソース獲得と開放を行うだけで該ジョブを一括して実行するリソース一括割当ユニットと、該リソース分割割当ユニットと該リソース一括割当ユニットとのいずれを実行させるかを該ジョブの内容に応じて決定するリソース管理ユニットを含む情報処理装置が開示されている。
【０００４】
【特許文献１】特開２００７−１９９５１７号公報
【特許文献２】特開２００３−１５２９１８号公報
【発明の開示】
【発明が解決しようとする課題】
【０００５】
本発明は、記憶手段の蓄積容量が予め定められた量に達することによる動作の停止を回避することができる原稿読取装置及び画像形成装置を提供することを目的とする。
【課題を解決するための手段】
【０００６】
請求項１に係る本発明は、原稿を読み取って画像データを生成する画像データ生成手段と、前記画像データ生成手段で生成された画像データを記憶する記憶手段と、を有し、前記画像データ生成手段は、前記記憶手段の蓄積容量が予め定められた量に達した場合に、原稿の読み取りを停止する原稿読取装置である。
【０００７】
請求項２に係る本発明は、前記画像データ生成手段は、原稿の読み取りを停止した後、前記記憶手段の蓄積容量が予め定められた量を下回った場合に、原稿の読み取りを再開する請求項１記載の原稿読取装置である。
【０００８】
請求項３に係る本発明は、原稿を読み取って画像データを生成する画像データ生成手段と、前記画像データ生成手段で生成された画像データを記憶する記憶手段と、前記記憶手段に記憶された画像データを処理する画像処理手段と、を有し、前記画像データ生成手段は、前記記憶手段の蓄積容量が予め定められた量に達した場合に、原稿の読み取りを停止する画像形成装置である。
【０００９】
請求項４に係る本発明は、前記画像データ生成手段は、原稿の読み取りを停止した後、前記画像処理手段で画像データの処理がなされることによって、前記記憶手段の蓄積容量が予め定められた量を下回った場合に、原稿の読み取りを再開する請求項３記載の画像形成装置である。
【発明の効果】
【００１０】
請求項１に係る本発明によれば、記憶手段の蓄積容量が予め定められた量に達することによる動作の停止を回避することができる原稿読取装置を提供することができる。
【００１１】
請求項２に係る本発明によれば、請求項１に係る本発明が奏する効果を奏することに加えて、原稿の読取を再開させる操作を不用とし、操作性が良い原稿読取装置を提供することができる。
【００１２】
請求項３に係る本発明によれば、記憶手段の蓄積容量が予め定められた量に達することによる動作の停止を回避することができる画像形成装置を提供することができる。
【００１３】
請求項４に係る本発明によれば、請求項１に係る本発明が奏する効果を奏することに加えて、原稿の読取を再開させる操作を不用とし、操作性が良い画像形成装置を提供することができる。
【発明を実施するための最良の形態】
【００１４】
次に本発明の最良の態様を図面を参照しつつ説明する。
図１には、本発明の実施形態に係る画像形成装置１０のハードウエア構成が示されている。
図１に示すように、画像形成装置１０は、ＣＰＵ１００、ＲＡＭ１１０、ＲＯＭ１２０、ＩＯ装置１３０、プリンタインターフェイス１４０、スキャナインターフェイス１５０、プリンタ装置２００、及びスキャナ装置３００を有する。ＣＰＵ１００、ＲＡＭ１１０、ＲＯＭ１２０、ＩＯ装置１３０、及びプリンタインターフェイス１４０は、例えば、プリンタ装置２００の本体である後述するプリンタ装置本体２０２（図２参照）内部に設けられている。スキャナインターフェイス１５０は、例えば、スキャナ装置３００の本体である後述するスキャナ装置本体３０２（図３参照）の内部に設けられている。ＣＰＵ１００、ＲＡＭ１１０、ＲＯＭ１２０、ＩＯ装置１３０、プリンタインターフェイス１４０、及びスキャナインターフェイス１５０は、システムバス１６０を介して互いに接続されている。
【００１５】
プリンタ装置２００は、ＲＡＭ１１０に記憶された画像データを処理する画像処理手段として用いられていて、画像処理として、例えば用紙に画像を形成する。
スキャナ装置３００は、原稿読取装置として用いられていて、原稿を引き込み、引き込んだ原稿を読み取る。
ＣＰＵ１００は、中央演算装置であり、例えば、ＲＯＭ１２０に格納されたプログラムを実行する。
ＲＯＭ１２０は、不揮発性メモリであり、例えば、プログラムファイルを格納する。
ＩＯ装置１３０は、入出力装置であり、例えば、ＬＡＮポートである。
プリンタインターフェイス１４０は、プリンタ装置２００の通信用のインターフェイスである。
スキャナインターフェイス１５０は、スキャナ装置３００の通信用のインターフェイスである。
【００１６】
ＲＡＭ１１０は、主記憶装置であり、例えば、ＣＰＵ１００に対してワークエリアを提供する。また、ＲＡＭは、後述する原稿読取部３６０で原稿が読みとられ、生成された画像データを記憶する記憶部として用いられていて、原稿の画像を記憶する複数の記憶領域が確保されている。以下、ＲＡＭ１１０に確保される複数の記憶領域の数をＮ個として説明をする。
【００１７】
図２には、プリンタ装置２００が示されている。
プリンタ装置２００は、プリンタ装置本体２０２を有し、プリンタ装置本体２０２内に、像保持体として用いられる感光体ドラム２０４と、感光体ドラム２０４を帯電する帯電装置２０６と、帯電装置２０６によって帯電された感光体ドラム２０４に光を照射して静電潜像を形成する潜像形成装置２０８と、潜像形成装置２０８によって感光体ドラム２０４の表面に形成された静電潜像を、トナーを用いて現像してトナー像を形成する現像装置２１０と、形成されたトナー像を用紙に転写する転写装置２１２と、感光体ドラム２０４の表面をクリーニングするクリーニング装置２１４とが装着されている。
【００１８】
また、プリンタ装置本体２０２内には、用紙を収納する用紙収納部材２３２が装着され、用紙収納部材２３２から供給された用紙の搬送に用いられる搬送路２３０が形成されている。また、搬送路２３０に沿って、用紙の搬送方向上流側から順に、レジストロール２３４と、先述の感光体ドラム２０４及び転写装置２１２と、定着装置２４０と、排出ロール２３６とが装着されている。
【００１９】
レジストロール２３４は、停止した状態から所定のタイミングで回転を開始し、感光体ドラム２０４にトナー像が形成されるタイミングと合致するように、感光体ドラム２０４と転写装置２１２との接触部に用紙を供給する。定着装置２４０は、転写装置２１２によって用紙に転写されたトナー像を用紙に定着する。排出ロール２３６は、トナー像が定着された用紙を排出部２３８に排出する。
【００２０】
また、プリンタ装置本体２０２には、例えば排出部２３８の上部に位置するようにスキャナ装置３００が装着されている。
【００２１】
図３には、スキャナ装置３００が示されている。
図３に示されるように、スキャナ装置３００は、スキャナ装置本体３０２を有し、スキャナ装置本体３０２に、読み取りがなされる原稿が置かれる原稿台３０４と、読み取りが終わった原稿が排出される排出台３０６とが設けられている。
【００２２】
また、スキャナ装置３００は、原稿をスキャナ装置本体３０２内に引き込み、引き込んだ原稿を搬送する原稿搬送装置３１０と、原稿搬送装置３１０によって搬送される原稿を読み取る原稿読取部３６０とを有し、スキャナ装置本体３０２内には、原稿台３０４から排出台３０６に向けて原稿が搬送される搬送路３０８が形成されている。
原稿搬送装置３１０は、送り出しロール３１２と、搬送ロール３１４と、搬送ロール３２０と、搬送ロール３２２と、排出ロール３２４とを有し、これらの部材が、搬送路３０８の上流側から下流側に向けて順番に配置されている。また、原稿搬送装置３１０は、搬送ロール３１４に接触し、搬送ロール３１４との間で原稿を分離する分離部材３２６を有する。
【００２３】
原稿読取部３６０は、原稿を読み取って画像データを生成する画像データ生成手段として用いられている。また、原稿読取部３６０は、例えばガラス等の光を透過する材質からなる光透過部材３６２と、光照射装置３６４と、例えばレンズ等からなる光学系３６６と、画像読取センサ３６８とを有する。原稿読取部３６０では、光照射装置３６４から光透過性部材３６２に向けて照射された光が光透過性部材３６２の上方を搬送中の原稿により反射され、原稿によって反射された光が、光学系３６６によって画像読取センサ３６８に結像され、画像読取センサ３６８によって原稿の画像が読み取られる。
【００２４】
図４には、画像形成装置１０のソフトウエア構成が示されている。
図４に示されるように、画像形成装置１０のソフトウエアは、スキャナ制御部５１０、主制御部５２０、入力動作調停部５３０、画像印刷処理部５４０、ユーザインターフェイス制御部５５０、外部インターフェイス制御部５６０、及びジョブ制御部５７０を有する。
【００２５】
スキャナ制御部５１０は、画像読取制御部として用いられていて、スキャナ装置３００を制御する。
主制御部５２０は、画像形成装置１０のソフトウエアを構成する各ソフトウエアを制御し、ＲＡＭ１１０の割り当てをする。
出力動作調停部５３０は、スキャナ装置３００に原稿の引き込みを停止させ、原稿の引き込みを再開させ、原稿の読み取りを停止させ、原稿の読み取りを再開させるように制御する。
画像印刷処理部５４０は、プリンタ装置２００を制御する。
ユーザインターフェイス制御部５５０は、例えば操作パネル（不図示）等のユーザインターフェイスを制御する。
外部インターフェイス制御部５６０は、ＩＯ装置１３０を制御する。
ジョブ制御部５７０は、原稿読取と、画像形成とのジョブを制御する。
【００２６】
図５は、画像形成装置１０の動作を示すフローチャートである。
図５に示されるように、ステップＳ１０２でユーザ（操作者）によって単数又は複数の原稿が原稿台３０４にセットされ、例えば、図示を省略する操作パネル等のユーザインターフェイスから原稿読取条件や、画像形成条件が選択される。ここで、原稿読取条件や、画像形成条件の例としては、例えば、画像の拡大処理や、画像の縮小処理や、文字と写真とのいずれかを主とする原稿であるかのモード選択や、画像形成がなされる用紙の選択や、１枚の用紙に何枚の原稿の画像を形成するかのモード選択等を挙げることができる。
このステップＳ１０２で選択される条件によって、１つの画像を記憶するための領域の大きさが異なってくる。
【００２７】
次のステップＳ１０４で、操作者によるスタートボタンの押下がなされたことを確認した後に、次のステップＳ１０６で、主制御部５２０は、ステップＳ１０２で入力された原稿読取条件や画像形成条件を記憶させる。
【００２８】
次のステップＳ１０８で、主制御部５２０は、ステップＳ１０２で入力された条件にあわせて、ＲＡＭ１１０上に画像読取用の記憶領域を単数個又は複数個、確保する。以下、ＲＡＭ１１０に確保される記憶領域の数をＮ個とする。
【００２９】
次のステップＳ１１０で、スキャナ制御部５１０は、１枚目の原稿をスキャナ装置本体３０２内に引き込むように、原稿搬送装置３１０を制御する。
【００３０】
次のステップＳ１１２では、スキャナ制御部５１０は、ステップＳ１１０でスキャナ装置本体３０２内に引き込まれた原稿を読み取るように、原稿読取部３６０を制御する、
【００３１】
次のステップＳ１１４では、主制御部５２０が、原稿が最後の原稿であるか否かを判別し、最終の原稿であるとの判別がなされた場合は一連の処理を終了させる。
【００３２】
ステップＳ１１４で、原稿が最終の原稿でないとの判別がなされた場合、次のステップＳ１１６へ進む。ステップＳ１１６では、ステップＳ１０８で確保されたＮ個の画像読取用の記憶領域のうち、使用されている画像領域の数がＮ個であるか否かの判別がなされる。すなわち、Ｎ個の領域の全てが使用されていて新たな画像を記憶するための領域が残っていないか、新たに読み取られた画像を記憶するための領域が残っているかを判別する。
【００３３】
ステップＳ１１６で、既に使用されている記憶領域の数がＮ個でないと判別された場合、すなわち、新たに読み取られた画像を記憶する領域が残っていると判別された場合は、ステップＳ１２０に進む。一方、ステップＳ１１６で、既に使用されている記憶領域の数がＮ個であるの判別がされた場合、すなわち、新たに読み取られた画像を記憶する領域が残っていないとの判別がなされた場合、ステップＳ１１８に進む。
【００３４】
ステップＳ１１８では、入力動作調停部５３０が、スキャナ制御部５１０に対して、スキャナ装置本体３０２内への原稿の引き込みを一時的に停止するように通知（指示）する。原稿の引き込みを一時的に停止するようにとの通知があると、原稿を引き込むタイミングが到達しても、スキャナ制御部５１０は、原稿の引き込みをさせない。このため、原稿読取部３６０で原稿の読み取りはされない。このように、ＲＡＭ１１０に確保されたＮ個の原稿領域の全てが使用されている場合には原稿が読み取られない。このため、ＲＡＭ１１０がメモリフル状態となって、原稿読取と画像形成とを継続することができなくなるとの事態が生じない。このように、この実施形態では、ＲＡＭ１１０の蓄積容量が予め定められた量に到達した場合に、原稿読取部３６０による原稿の読取が停止される。
【００３５】
ステップＳ１２０で次の原稿を引き込むタイミングが到達したことを確認し、次のステップＳ１２２で、原稿の引き込みを一時的に停止する通知がなされていないとを確認した後、次のステップＳ１２４に進む。また、ステップＳ１２０においては、プリンタ装置２００で画像形成がなされることによって、ＲＡＭ１１０の使用中であった記憶領域の予め定められた数が開放された場合に、ステップＳ１１８でなされた原稿の引き込みを一時的に停止する旨の指示が解除される。このように、この実施形態では、原稿の読取を停止した後、ＲＡＭ１１０の容量が予め定められた量を下回った場合に、原稿の読取が再開される。
【００３６】
ステップＳ１２４では、スキャナ制御部５１０は、原稿の引き込みを開始するようにスキャナ装置３００を制御する。
【００３７】
次のステップＳ１２６では、操作者からのジョブ停止指示等の理由で、全停止指示が通知されているか否かを主制御部５２０が判別し、全停止処理が通知されているとの判別がなされた場合、画像読取を行わずに処理を終了させる。
【００３８】
一方、ステップＳ１２６で、全停止指示が通知されているとの判別がなされたかった場合、次のステップＳ１２８で、スキャナ制御部５１０がスキャナ装置３００を制御して、スキャナ装置３００に原稿を読み取らせる。
【産業上の利用可能性】
【００３９】
以上で説明をしたように、本発明は原稿読取装置及び画像形成装置に適用することができる。
【図面の簡単な説明】
【００４０】
【図１】本発明の実施形態に係る画像形成装置のハードウエア構成を示す図である。
【図２】本発明の実施形態に係る画像形成装置を示す断面図である。
【図３】本発明の実施形態に係る原稿読取装置を示す断面図である。
【図４】本発明の実施形態に係る画像形成装置のソフトウエア構成を示す図である。
【図５】本発明の実施形態に係る原稿読取装置の動作を示すフローチャートである。
【符号の説明】
【００４１】
１０・・・画像形成装置
１１０・・・ＲＡＭ
２００・・・プリンタ装置
３００・・・スキャナ装置
３１０・・・原稿搬送装置
３６０・・・原稿読取部
５２０・・・主制御部
５３０・・・入力動作調停部
【図１】
2010074486.tif 000003
【図２】
2010074486.tif 000004
【図３】
2010074486.tif 000005
【図４】
2010074486.tif 000006
【図５】
2010074486.tif 000007